(57)【要約】      （修正有）【課題】１つのランプモジュールによってロービームとハイビームとを共に実現し、同時に、鮮明なビームの実現を可能とする車両用ランプを提供する。【解決手段】光を発生させる光源１００と、光源１００の光を反射し、設定された移動経路に沿って反射された光を移動させるように駆動するライトガイド２００と、ライトガイド２００で反射された光を収容する複数個のセル３１０を備える。隔壁構造体３００は各セル３１０に収容された光をセル３１０の形状で出射する。【選択図】図１
2016110964.tif 000002
【特許請求の範囲】
【請求項１】
光を発生させる光源と、
前記光源の光を反射し、設定された移動経路に沿って反射された光を移動させるように駆動するライトガイドと、
前記ライトガイドで反射された光を収容する複数個のセルを備え、各セルに収容された光がセルの形状で出射されるようにする隔壁構造体と、
を備えることを特徴とする車両用ランプ。
【請求項２】
前記光源は、レーザービームを発生させることを特徴とする請求項１に記載の車両用ランプ。
【請求項３】
前記ライトガイドは、マイクロミラーであることを特徴とする請求項１に記載の車両用ランプ。
【請求項４】
前記ライトガイドは、設定された移動経路に沿って光を移動させ、前記隔壁構造体の各セル別に光が照射されるように光源の光を反射させることを特徴とする請求項１に記載の車両用ランプ。
【請求項５】
前記隔壁構造体は、それぞれのセルが設定された形状をなし、各セルに入射された光が隣接したセルに伝達されることを遮断する隔壁が設けられたことを特徴とする請求項１に記載の車両用ランプ。
【請求項６】
前記隔壁構造体の各セルには、レーザービームの波長と異なる波長の光を発生させる蛍光体が設けられたことを特徴とする請求項２に記載の車両用ランプ。
【請求項７】
前記隔壁構造体は、隔壁が格子形状をなすように形成されたことを特徴とする請求項５に記載の車両用ランプ。
【請求項８】
前記ライトガイドは、隔壁構造体の左側または右側のうち、いずれか一方から他方の方向に、そして、上側または下側のうち、いずれか一方から他方の方向に移動して各セルに光を反射させることを特徴とする請求項１に記載の車両用ランプ。
【請求項９】
前記ライトガイドは、光源の光を屈折させる屈折体と、前記屈折体が光源の光を設定された移動経路に沿って移動させ得るように屈折体を作動させるアクチュエータとを備えることを特徴とする請求項１に記載の車両用ランプ。
【発明の詳細な説明】
【技術分野】
【０００１】
本発明は、車両用ランプに関し、より詳細には、ロービームまたはハイビームを１つの光モジュールで実現できるように構成された車両用ランプに関する。
【背景技術】
【０００２】
車両には、その使用目的と取り付け位置によって種々の種類のランプが設けられる。
【０００３】
そのうち、車両の前端部に設けられて、前方に向けて光を照射する前照灯の場合、運転者の意志または車両の自らの判断により近距離照射と遠距離照射が選択的になされる必要があるところ、従来には、これらの実現のために、ロービーム（Ｌｏｗ−Ｂｅａｍ）モジュールとハイビーム（Ｈｉｇｈ−Ｂｅａｍ）モジュールとを共に備え、それぞれのビームモジュールをオンまたはオフさせる動作によって選択的なランプ実現を可能とした。
【０００４】
しかし、このような従来のランプ構造は、複数個のビームモジュールを備えなければならないところ、生産工程が複雑になり、費用が増加し、車両の重量を増加させる原因となったものである。
【０００５】
上記の背景技術として説明された事項等は、本発明の背景に対する理解増進のためのものであり、この技術分野における通常の知識を有した者に既に知られた従来技術に該当することを認めることと受け入れられてはならないであろう。
【先行技術文献】
【特許文献】
【０００６】
【特許文献１】ＫＲ１０−１３９８２２５  Ａ
【発明の概要】
【発明が解決しようとする課題】
【０００７】
本発明は、このような問題点を解決するために提案されたものであって、１つのランプモジュールによってロービームとハイビームとを共に実現し、同時に、鮮明なビームの実現を可能とする車両用ランプを提供することにその目的がある。
【課題を解決するための手段】
【０００８】
上記の目的を達成するための本発明に係る車両用ランプは、光を発生させる光源と、前記光源の光を反射し、設定された移動経路に沿って反射された光を移動させるように駆動するライトガイドと、前記ライトガイドで反射された光を収容する複数個のセルを備え、各セルに収容された光がセルの形状で出射されるようにする隔壁構造体とを備える。
【０００９】
前記光源は、レーザービームを発生させることができる。
【００１０】
前記ライトガイドは、マイクロミラーでありうる。
【００１１】
前記ライトガイドは、設定された移動経路に沿って光を移動させ、前記隔壁構造体の各セル別に光が照射されるように光源の光を反射させることができる。
【００１２】
前記隔壁構造体は、それぞれのセルが設定された形状をなし、各セルに入射された光が隣接したセルに伝達されることを遮断する隔壁が設けられ得る。
【００１３】
前記隔壁構造体の各セルには、レーザービームの波長と異なる波長の光を発生させる蛍光体が設けられ得る。
【００１４】
前記隔壁構造体は、隔壁が格子形状をなすように形成されることができる。
【００１５】
前記ライトガイドは、隔壁構造体の左側または右側のうち、いずれか一方から他方の方向に、そして、上側または下側のうち、いずれか一方から他方の方向に移動して各セルに光を反射させることができる。
【００１６】
前記ライトガイドは、光源の光を屈折させる屈折体と、前記屈折体が光源の光を設定された移動経路に沿って移動させ得るように屈折体を作動させるアクチュエータとを備えることができる。
【発明の効果】
【００１７】
上述したような構造からなる車両用ランプによれば、設定された移動経路に沿って光移動できるように反射する反射体を備えることにより、光の移動経路によってロービームまたはハイビームの実現が可能となり、費用の低減、重量の低減、生産工程の短縮が可能である。
【００１８】
また、隔壁構造により、セルに入射された光が隣接したセルに移転されることがないので、光滲み現象を防止し、したがって、高解像度のビームパターン形成が可能である。
【図面の簡単な説明】
【００１９】
【図１】本発明の一実施形態に係る車両用ランプの構成図。
【図２】図１のＡ−Ａ断面を示した図。
【発明を実施するための形態】
【００２０】
以下では、添付された図面を参照して本発明の好ましい実施形態に係る車両用ランプについて説明する。
【００２１】
図１は、本発明の一実施形態に係る車両用ランプの構成図であって、光を発生させる光源１００と、前記光源１００の光を反射し、設定された移動経路に沿って反射された光を移動させるように駆動するライトガイド２００と、前記ライトガイド２００で反射された光を収容する複数個のセル３１０を備え、各セル３１０に収容された光がセル３１０の形状で出射されるようにする隔壁構造体３００とを備える。
【００２２】
具体的に、前記光源１００は、レーザービームを発生させるレーザーダイオードになることが好ましいが、必ずこれに限定されるものではなく、ＬＥＤまたは一般電球方式の光源も使用され得る。
【００２３】
しかし、前記レーザーまたはレーザーと類似して高密度の直進性ビームを発生させる光源を使用することにより、前記ライトガイド２００が反射しようとする設定された地点に正確に前記光源１００の光を反射させることができ、これにより、ハイビームまたはロービームパターンを形成することができる。
【００２４】
一方、前記ライトガイド２００は、マイクロミラーになりうる。
【００２５】
マイクロミラーは、静電引力によって駆動可能なように設けられたミラーが、印加される電圧の電位差により発生した静電引力により、所望の位置に光を反射するように駆動する装置であって、予め前記ライトガイド２００を制御する制御部（図示せず）にライトガイド２００が光を反射する地点と移動経路を設定することにより、前記ライトガイド２００が設定された経路に沿って光を移動させるように実現することができる。
【００２６】
前記マイクロミラーは、人の目でその変化を感知できない程度に微細かつ速く作動するところ、マイクロミラーが一定地点に光を反射させた後、移動して次の地点に光を反射させても、その変化速度は極めて微細かつ速いので、連続的に発生する光の移動経路が残像によりあたかも一般電球やＬＥＤで光を持続的に照射しているように光を照射することができる。
【００２７】
したがって、前記マイクロミラーを介して所望の形状のビームパターン実現が可能であり、ロービームまたはハイビームの実現も可能となり、対向する車両がある場合、対向する車両に対しては光が照射されないようにするために、当該セル３１０にはライトガイド２００が光を照射しないように移動経路を設定するか、または当該セル３１０を通るとき、光源１００をオフさせるように制御することができる。
【００２８】
前記ライトガイド２００のさらに他の実施例として、ミラーでなく、光源１００の光を屈折させる屈折体、例えば、レンズ、オプティクレンズなどになりうるし、またはその他の反射体等が使用されることもできる。もちろん、前記屈折体または反射体が光源１００の光を設定された移動経路に沿って移動させ得るように屈折体または反射体を作動させるアクチュエータ（図示せず）、例えば、ステップモーターが設けられることが好ましく、前記制御部は、アクチュエータを前述したマイクロミラーと類似して制御することができる。
【００２９】
一方、前記隔壁構造体３００は、それぞれのセルが設定された形状をなし、各セルに入射された光が隣接したセルに伝達されることを遮断する隔壁３０１が設けられることが好ましい。前記隔壁３０１は、様々な形状をなすように形成され、それぞれのセル３１０は、前記隔壁３０１を隔てて隣接したセル３１０と接するようになることが好ましい。前記セル３１０とセル３１０との間の連結形状は様々に形成されることができ、前記隔壁構造体３００の形状もいずれか１つの形状に限定されない。
【００３０】
しかし、好ましくは、前記隔壁構造体３００の隔壁３０１が格子形状をなすように形成され得るが、これは、隣接したセル３１０とセル３１０との間に余分の空間をなくして隔壁構造体３００の空間活用能力を高め、ライトガイド２００の作動により最終的に形成されるビームパターンの解像度を高く設定できる利点があるためである。
【００３１】
前記隔壁構造体３００でセル３１０の個数は様々に設定されることができ、好ましくは、各セル３１０がレーザービームが入射され得る最小限の大きさを有するようになり、セル３１０の個数をできるだけ多く構成することが好ましいであろう。
【００３２】
一方、前記ライトガイド２００は、上記したように設定された移動経路に沿って光を移動させ、前記隔壁構造体３００の各セル３１０別に光が照射されるように光源１００の光を反射させることが好ましい。
【００３３】
具体的に、図２は、図１のＡ−Ａ断面を示した図であって、前記ライトガイド２００は、光源１００の光をそれぞれのセル３１０に向けて照射するようになるが、隔壁構造体の左側または右側のうち、いずれか一方から他方の方向に、そして、上側または下側のうち、いずれか一方から他方の方向に移動し、各セルに光源１００の光を反射させることができる。例えば、セル３１０が格子形状で形成された隔壁構造体３００である場合、前記ライトガイド２００は、隔壁構造体３００の左側から右側に各セル３１０に光源１００の光を反射しながら移動した後、１行下げて、さらに右側から左側に各セル３１０に光源１００の光を反射して移動する方式で連続的に進まれることができるものである。もちろん、これは、１つの実施形態であり、ライトガイド２００が各セル３１０に光源１００の光を反射しながら移動する経路は、設計者の意図によって様々に設定され得るであろう。
【００３４】
また、前記ライトガイド２００が移動する間、光源１００の光は、最終的に実現しようとする形状によってオフとオンを繰り返すことができる。例えば、ロービームパターンを実現しようとする場合、前記ライトガイド２００が設定された経路に沿って移動する途中、ロービームパターンを実現するために発光が必要な部分には光源１００がオンされ、発光が不要な部分では光源１００がオフされるようにすることにより、図１に示されたように、最終的に照射される形状がロービームパターンを描くように実現できるものである。もちろん、これは、ハイビームパターンの場合にも同様であり、上記した構成によって種々のビームパターンを実現できるであろう。
【００３５】
本実施形態では、前記ライトガイド２００が一直線の一定の経路に沿って移動し、光源１００のオン／オフでビームパターンを実現することについて記述しているが、前記設定された経路が所望のビームパターン形状を描くように隔壁構造体３００の各セル３１０を移動させることもできるであろう。すなわち、光源１００のオン／オフ機能を介してのビームパターン実現でなく、直接ライトガイド２００がビームパターンを描くように作動するようになるものである。
【００３６】
このように、前記ライトガイド２００の駆動による最終ビームパターンの実現方法には、様々な実施形態の適用が可能であろう。
【００３７】
一方、前記隔壁構造体３００の各セル３１０には、レーザービームの波長と異なる波長の光を発生させる蛍光体４００が設けられることが好ましい。
【００３８】
前記レーザービームは、人の目に直接照射される場合、深刻な傷害を負わせる可能性があるため、レーザービームがランプとしての機能を実現できるように、前記蛍光体４００を使用することが好ましい。前記蛍光体４００は、青色光波長を有するレーザービームが入射されれば、黄色光波長の光を出力するようになり、一部青色光波長と黄色光波長とが混合されて、最終的に白色光の光が前方に照射されるものである。
【００３９】
もちろん、前記隔壁構造体３００を透過した光が設定された地点に集まるようにするために、前記隔壁構造体３００の前方には別の集光レンズ５００が設けられることが好ましい。
【００４０】
前記蛍光体４００は、各セル３１０を全て満たすように設けられることが好ましいが、必ずそうするべきであるものではなく、設計者の意図によってセル３１０を部分的にのみ満たすこともできる。
【００４１】
このように、前記蛍光体４００を隔壁構造体３００内に設けることにより、レーザービームが蛍光体４００に入射されるとき、光が滲む現象を減らすことができ、隔壁３０１が隣接したセル３１０への光伝達を遮断するため、レーザービームが入射されるセル３１０にのみ発光が起こるようになり、高解像度のビームパターン形状を得ることができるようになるものである。
【００４２】
前述したように、本実施形態では、前記セル３１０に蛍光体４００が設けられた場合について説明したが、前記光源１００に蛍光体を必要としない光源１００として使用し、セル３１０に蛍光体でないレンズを挿入したり、隔壁３０１内壁に反射体を設けるなど、様々な実施形態の実現が可能でありうる。
【００４３】
上述したような構造からなる車両用ランプによれば、設定された移動経路に沿って光移動できるように反射するミラーを備えることにより、光の移動経路によってロービームまたはハイビームの実現が可能となり、費用の低減、重量の低減、生産工程の短縮が可能である。
【００４４】
また、隔壁構造により、セルに入射された光が隣接したセルに移転されることがないので、光滲み現象を防止し、したがって、高解像度のビームパターン形成が可能である。
【００４５】
本発明は、特定の実施形態に関連して図示し説明したが、以下の特許請求の範囲により提供される本発明の技術的思想を逸脱しない限度内で、本発明が様々に改良及び変化され得るということは、当業界で通常の知識を有した者にとって自明であろう。
【符号の説明】
【００４６】
１００  光源
２００  ライトガイド
３００  隔壁構造体
３０１  隔壁
３１０  セル
４００  蛍光体
５００  集光レンズ
【図１】
2016110964.tif 000003
【図２】
2016110964.tif 000004